(57)【要約】【課題】  ウエブでの捕球時において、ボールを包み込む方向に屈曲して確実に捕球することができると共に、ウエブの上部が反り返って落球する虞れがない。【解決手段】  野球用グラブ１の親指挿入部２と人差指挿入部３との指股部に張設するウエブ４である。該ウエブ４はウエブ上部４ａとウエブ主体４ｂが分離されている。ウエブ上部４ａの下辺凹凸部６とウエブ主体４ｂの上辺凹凸部８が互いに係合し結束紐１０で連結されている。【選択図】    図１
2005312507.tif 000002
【特許請求の範囲】
【請求項１】
野球用グラブの親指挿入部と人差指挿入部との指股部に張設するウエブであって、該ウエブはウエブ上部とウエブ主体が分離されており、ウエブ上部の下辺凹凸部とウエブ主体の上辺凹凸部が互いに係合し結束紐で連結されていることを特徴とする野球用グラブ。
【請求項２】
前記ウエブは親指挿入部と人差指挿入部との指股部を全面的に覆う形状である請求項１に記載の野球用グラブ。
【請求項３】
ウエブ上部の下辺凹凸部およびウエブ主体の上辺凹凸部は、一定間隔毎に設けたループ状凸部と、そのループ状凸部と凸部の間に形成される凹部とで形成されている請求項１に記載の野球用グラブ。
【請求項４】
ウエブ上部は１枚の皮革を折り曲げて３重構造に形成してあり、下辺の一定間隔毎にループ状凸部を設けると共に、上部に挿通孔を穿設してある請求項１、２または３に記載の野球用グラブ。
【請求項５】
ウエブ上部の挿通孔に結束紐を通し、結束紐を挿通孔と上端外面との間をＸ字状に通して取り付けられている請求項４に記載の野球用グラブ。
【発明の詳細な説明】
【技術分野】
【０００１】
本発明は、野球、ソフトボール用のグラブに関するもので、さらに詳しくは、親指挿入部と人差指挿入部との指股部に取り付けられるウエブを屈曲しやすくして捕球を確実にする野球用グラブに関するものである。
【背景技術】
【０００２】
従来から、親指挿入部と人差指挿入部との指股部に取り付けられるウエブの形状としては種々のものがある。代表的な形状のものとしては、図７に示すような親指挿入部１２と人差指挿入部１３との指股部に縦テープ皮革１４ａと横テープ皮革１４ｂとを十字状に形成したクロスウエブ１４がある。また、別なものとして、図８に示すような主として投手が使用し、ボールの握りが見えない親指挿入部２２と人差指挿入部２３との指股部を全面的に覆う編地からなるタータンウエブ２４などが使用されている。
【０００３】
これらクロスウエブ１４、タータンウエブ２４の上部は、強い打球をウエブで捕球した時に、ウエブの上部が打球圧で反り返ってボールが飛び出ないように、１枚の皮革を折り返して補強してあり、上端部の一定間隔毎に穿設された挿通孔１５、２５に革紐２０、３０を挿通し、革紐２０、３０を挿通孔１５、２５と上端外面の間を螺旋状に巻き込んで補強してある。
【０００４】
しかし、このウエブ１４、２４の上端部は１枚の皮革を折り返し２重にして縫着してあると共に、革紐２０、３０で強力に緊締してあるから、ウエブが硬くて曲がり難いため、捕球時にボールを確実に捕球できず落球したりする虞があった。
【０００５】
そこで、捕球時のウエブの屈曲性を向上させるものとして、ウエブの中央部に重合折り曲げ片を形成し、捕球時に重合部分が伸びて確実に捕球できるグラブ。（例えば、特許文献１）。あるいはウエブの背面側に膨らむ弧状のスリットを形成することで、ウエブの柔軟性を向上させるものがある。（例えば、特許文献２））。
【特許文献１】特公昭５０−２３０１号公報
【特許文献２】特開２００１−１２９１４６号公報
【発明の開示】
【発明が解決しようとする課題】
【０００６】
しかしながら、上記の特許文献１および２のウエブは、ウエブ自体の柔軟性は向上して確実な捕球ができても、ウエブ上部の挿通孔に１本の革紐で螺旋状に巻き込む結束方法は従来通りであるから、ボールを捕球しやすい平面方向から見て両側部が内側に曲がるように取り付けにくいばかりでなく、強い打球を受けた場合には上部が反り返り捕球できなくなると共に、ゴロや低いボールの捕球時にウエブの上端部が地面と接触することがあり、それが度重なると革紐が切断し長期に亘って使用できないといった問題点があった。
【０００７】
本発明は、上記の問題を解決することを課題として研究開発されたもので、ウエブでの捕球時において、ボールを包み込む方向に屈曲して確実に捕球することができると共に、ウエブの上部が反り返って落球する虞れのない野球用グラブを提供することを目的とするものである。
【課題を解決するための手段】
【０００８】
上記の課題を解決し、その目的を達成する手段として、本発明では、野球用グラブの親指挿入部と人差指挿入部との指股部に張設するウエブであって、該ウエブはウエブ上部とウエブ主体が分離されており、ウエブ上部の下辺凹凸部とウエブ主体の上辺凹凸部が互いに係合し結束紐で連結されていることを特徴とする野球用グラブを開発し、採用した。
【０００９】
また、上記のように構成した野球用グラブにおいて、前記ウエブは親指挿入部と人差指挿入部との指股部を全面的に覆う形状である野球用グラブ、およびウエブ上部の下辺凹凸部およびウエブ主体の上辺凹凸部は、一定間隔毎に設けたループ状凸部と、そのループ状凸部と凸部の間に形成される凹部とで形成されている野球用グラブ、およびウエブ上部は1枚の皮革を折り曲げて３重構造に形成してあり、下辺の一定間隔毎にループ状凸部を設けると共に、上部に挿通孔を穿設してある野球用グラブ、およびウエブ上部の挿通孔に結束紐を通し、結束紐を挿通孔と上端外面との間をＸ字状に通して取り付けられている野球用グラブを開発し、採用した。
【発明の効果】
【００１０】
ウエブ上部とウエブ主体が分離されており、そのウエブ上部の下辺凹凸部とウエブ主体の上辺凹凸部が係合しているから、ウエブでの捕球時にその係合部から屈曲し、ボールを包み込む方向に曲がり確実にボールをキャッチすることができると共に、ウエブ上部とウエブ主体が分離されていることによって捕球時の衝撃圧を吸収して緩和できる。
【００１１】
また、ウエブの上部の結束紐を１本によって螺旋状に巻きつけるのでなく、２本の結束紐をＸ字状に通して取り付けることから、ウエブは捕球のしやすい平面方向から見て両側部が内側に曲がるように取り付けることができ、かつ親指と人差指によるグラブの開閉が容易になる。
【００１２】
さらに、打球の早いボールをウエブの上方部で捕球した際にも、反り返って外方に折り曲げられることなく、ボールを包む方向に曲がるので落球を防ぐことになる。さらに、ウエブ上端部の２本の結束紐をＸ状に通してあり、低いボールやゴロを捕球する時に地面と接触するが、従来の１本の結束紐と比べれば切断し難く、長期間に亘って使用することができる。
【発明を実施するための最良の形態】
【００１３】
以下に、本発明の実施の形態を添付の図面に基づいて説明すれば、１は野球、ソフトボール用のグラブであり、図示していないが、キャッチャーミット、ファーストミットでも良いのは勿論のことである。
【００１４】
２は親指挿入部、３は人差指挿入部、４はその親指挿入部２と人差指挿入部３との間の指股間を全面に亘って被覆するウエブであり、このウエブ４はウエブ上部４ａとウエブ主体４ｂが上下に分離されている。
【００１５】
すなわち、ウエブ上部４ａは図５の断面図に示すように、１枚の皮革を折り返し３重に重ねて縫着した横長帯状のものであり、図３，図４に示すように、上部に等間隔で挿通孔５…５を穿設してあると共に、下辺部には凹凸部６を形成してある。この凹凸部６は一定間隔毎に折り曲げ片を折り曲げて形成した逆台形状のループ状凸部６ａ…６ａと、そのループ状凸部６ａ，６ａ間の窪みの凹部６ｂとで形成されている。
【００１６】
一方、ウエブ主体４ｂは、多数の細革紐で斜め方向に網代編みした斜め格子の盾形状の編体７であり、その編体７の上辺を凹凸部８に形成してある。この凹凸部８は前記ウエブ上部４ａの下辺部に形成した凹凸部６と同様の折り曲げ片を折り曲げて形成した台形状のループ状凸部８ａ…８ａと、そのループ状凸部８ａ，８ａ間の窪みの凹部８ｂとで形成されている。そして、ウエブ上部４ａのループ状凸部６ａとウエブ主体４ｂの凹部８ｂ、ウエブ主体４ｂの凸部８ａとウエブ上部４ａの凹部８ｂが互いに係合する。９は編体７の両側辺と下辺に所定間隔毎に設けた結束紐挿通筒体である。
【００１７】
このように構成されたウエブ４は、ウエブ上部４ａに穿設した挿通孔５…５に２本の結束紐１０を挿通孔５と上端外面との間をＸ字状に通すと共に、ウエブ上部４ａのループ状凸部６ａとウエブ主体４ｂのループ状凸部８内に結束紐１０を挿通し、さらに親指挿入部２と人差指挿入部３の内周部に沿う筒体９…９にも結束紐１０を挿通して親指挿入部２と人指指挿入部３の間に張設されるものである。
【００１８】
上記のように構成された本発明の実施形態の使用状態を作用、効果と共に説明すれば、図６に示すように、親指挿入部２と人差挿入部３の間に設けたウエブ４でボールＢをキャッチすると、ウエブ上部４ａの下辺の凹凸部６とウエブ主体４ｂの上辺の凹凸部８との係合によって、ウエブ上部４ａが内方に折れ曲がることから、ボールを確実に捕球することができる。また、ウエブ上部４ａとウエブ主体４ｂが分離されているので、捕球時の衝撃圧を逃がすことができる。
【００１９】
さらに、上部ウエブ４ａの上端部には２本の結束紐１０をＸ字状に通してあるから、ウエブ４で捕球しやすいように左右両側部をバランス良く内面方向に曲げられる。また、強い打球を捕球した場合においても外方側に折り曲げられることなく、ボールを包む方向に曲がるので落球をしなくなる。さらに、ゴロや低いボールの球時に結束紐１０が地面と摺接してもＸ字状の２本になっているから切断しにくい。
【００２０】
以上、本発明の主要な実施の形態について説明したが、本発明は、これらの実施に限定されるものではなく、発明の目的を達成でき、且つ発明の要旨を逸脱しない範囲内で種々の設計変更が可能であり、それらも全て本発明の範囲内に包含されるものである。
【産業上の利用可能性】
【００２１】
本発明は、硬式用、軟式用、ソフトボール用、少年用などのグラブにでも適用できるものである。
【図面の簡単な説明】
【００２２】
【図１】捕球面側を示すグラブの斜視図である。
【図２】背面側を示すグラブの斜視図である。
【図３】ウエブ上部とウエブ主体を分離した正面図である。
【図４】ウエブ上部とウエブ主体を係合した正面図である。
【図５】図４のＡ−Ａ線断面図である。
【図６】捕球時の説明図である。
【図７】従来例のグラブの斜視図である。
【図８】別な従来例のグラブの斜視図である。
【符号の説明】
【００２３】
１    グラブ
２    親指挿入部
３    人差指挿入部
４    ウエブ
４ａ  ウエブ上部
４ｂ  ウエブ主体
５    挿通孔
６    下辺凹凸部
８    上辺凹凸部    
１０  結束紐
【図１】
2005312507.tif 000003
【図２】
2005312507.tif 000004
【図３】
2005312507.tif 000005
【図４】
2005312507.tif 000006
【図５】
2005312507.tif 000007
【図６】
2005312507.tif 000008
【図７】
2005312507.tif 000009
【図８】
2005312507.tif 000010